(57)【要約】【課題】設置に手間が掛からず、安定的に設置することができるとともに、幼児等の使用者が親の近くで安心して着座することができる新規な補助椅子を提供する。【解決手段】シート５１や畳等の着座面５２上に載置されるとともに使用者が着座するシート本体２と、このシート本体２の前端側に基端が取り付けられ下端は床Ｇ上に支持される脚部材３と、を備えてなる。【選択図】        図１
2005095611.tif 000002
【特許請求の範囲】
【請求項１】
椅子や畳等の着座面上に載置されるとともに使用者が着座するシート本体と、このシート本体の前端側に基端が取り付けられ下端は床上に支持される脚部材と、を備えてなることを特徴とする補助椅子。
【請求項２】
前記シート本体は、前方及び後方に移動可能とされてなることを特徴とする請求項１記載の補助椅子。
【請求項３】
前記シート本体の左右両側にはそれぞれ固定部材が固定され、上記シート本体又は上記固定部材の何れか一方には、前後方向に複数の位置決め凹部が並んで形成され、該固定部又はシート本体の何れか一方には、上記複数の位置決め凹部の何れかに選択的に嵌まり込む位置決め凸部が形成されてなることを特徴とする請求項１又は２記載の何れかの補助椅子。
【請求項４】
前記脚部材は、折り畳み可能とされてなることを特徴とする請求項１，２又は３記載の何れかの補助椅子。
【請求項５】
前記脚部材は、前記シート本体の左右から下方に形成され、それぞれの脚部材は、上記シート本体の裏面側に折り畳まれるように構成されてなることを特徴とする請求項１，２，３又は４記載の何れかの補助椅子。
【請求項６】
前記脚部材は、伸縮自在とされてなることを特徴とする請求項１，２，３，４又は５記載の何れかの補助椅子。
【請求項７】
前記シート本体の後方には背もたれが配置され、この背もたれは前記シート本体の上面と重なるように折り畳み可能とされてなることを特徴とする請求項１，２，３，４，５又は６記載の何れかの補助椅子。
【発明の詳細な説明】
【技術分野】
【０００１】
本発明は、幼児等の座高の低い者が使用する補助椅子であって、特にレストラン等に設置されたシートや椅子又は掘り炬燵を囲む畳上に設置して用いられる補助椅子に関するものである。
【背景技術】
【０００２】
現在、例えば、レストラン（特に、ファミリーレストラン）に設置されたテーブルや、或いは、掘り炬燵に設置されたテーブルと、上記テーブルの回りに設置されたシート（ソファ）や畳等の着座面とは、通常大人の平均身長に合わせたサイズとされていることが多い。したがって、これらのシートや畳の着座面に幼児等の座高の低い使用者が着座して使用した場合には、テーブルの上面との関係において、着座面が低すぎるものとなり、このため、これらの使用者はこのテーブル等の上を見渡すことができず、また、テーブル等の上の物に十分に手が伸ばすことができず、極めて不便であった。このため、従来では、幼児等の座高の低い者が着座面に着座する場合には、脚が長く着座面が高くされた特別な幼児用の椅子を利用してテーブルの上面に近づけ、或いは、厚めのクッションを上記椅子や畳等の着座面上に載置する方法が採られていた。
【発明の開示】
【発明が解決しようとする課題】
【０００３】
しかしながら、こうした方法は、極めて面倒であるばかりではなく、場合によっては幼児等が極めて不安定な状態を強いられ危険性を伴う場合がある。例えば、ファミリーレストランでは、通路側から略Ｕ字状にシートが設置されている場合が多く、上記幼児用の椅子を利用する場合には、母親が着座した位置とは離れた通路側に設置せざるを得ない。しかし、これでは幼児と母親とが離れることとなり、幼児の年齢によってはそれを幼児が嫌う場合が多いだけではなく、母親が幼児の食事を十分に介護することはできない。
【０００４】
また、上記ファミリーレストランでは、テーブルの端面が手前に張り出し、着座するシートの正面が該テーブルの端面よりも前方に位置していれば、上述した厚めのクッションを上記シートの上面に載置する方法も採用することができる。しかし、テーブルの端面とシートの正面とが上述した位置関係であれば、逆に上記通路側からテーブルに移動する際、極めて移動し辛く使い勝手が悪いことから、テーブルの端面と、シートの正面とは略同じ位置である場合が多い。しかし、こうしたテーブルの端面とシートの正面との位置関係である場合に、上記クッションを使用すると、該クッションは極めて安定性が悪い状態でシート上に載置されることとなり、床に転落する可能性がある。逆に、こうした危険性を回避するため、シートの上面に上記クッションを安定的に載置しようとすれば、該クッションに着座した幼児とテーブルの端面とは大きく離れた状態となり、幼児が自ら食事をすることは困難となる。このことは、着座する畳に掘り炬燵が形成され、この掘り炬燵上にテーブルが設置されている場合についても同じである。
【０００５】
そこで、本発明は、上述した従来の補助椅子やクッション等が有する課題を解決するために提案されたものであって、設置に手間が掛からず、安定的に設置することができるとともに、幼児等の使用者が親の近くで安心して着座することができる新規な補助椅子を提供することを目的とする。
【課題を解決するための手段】
【０００６】
上述した目的を達成するため、本発明（請求項１記載の発明）は、椅子や畳等の着座面上に載置されるとともに使用者が着座するシート本体と、このシート本体の前端側に基端が取り付けられ下端は床上に支持される脚部材と、を備えてなることを特徴とするものである。
【０００７】
なお、上記補助椅子を構成する脚部材の本数は、特に限定されるものではなく、１本或いは複数本であっても良い。また、この補助椅子を構成する各部材の素材は特に限定されるものではなく、例えば、木，合成樹脂，アルミニウム等の金属を素材とするものであっても良い。
【０００８】
また、第２の発明（請求項２記載の発明）は、上記第１の発明において、前記シート本体は、前方及び後方に移動可能とされてなることを特徴とするものである。
【０００９】
なお、このようにシート本体を前後方向に移動可能とする具体的構成は、以下に説明する第３の発明に係る構成以外に、該シート本体が前後方向にスライドするものであっても良い。
【００１０】
また、第３の発明（請求項３記載の発明）は、前記第１又は第２の発明の何れかにおいて、前記シート本体の左右両側にはそれぞれ固定部材が固定され、上記シート本体又は上記固定部材の何れか一方には、前後方向に複数の位置決め凹部が並んで形成され、該固定部材又はシート本体の何れか一方には、上記複数の位置決め凹部の何れかに選択的に嵌まり込む位置決め凸部が形成されてなることを特徴とするものである。
【００１１】
また、第４の発明（請求項４記載の発明）は、前記第１，第２又は第３の発明の何れかにおいて、前記脚部材は、折り畳み可能とされてなることを特徴とするものである。
【００１２】
また、第５の発明（請求項５記載の発明）は、前記第１，第２，第３又は第４の何れかの発明において、前記脚部材は、前記シート本体の左右から下方に形成され、それぞれの脚部材は、上記シート本体の裏面側に折り畳まれるように構成されてなることを特徴とするものである。
【００１３】
また、第６の発明（請求項６記載の発明）は、前記第１，第２，第３，第４又は第５の発明の何れかにおいて、前記脚部材は、伸縮自在とされてなることを特徴とするものである。
【００１４】
また、第７の発明（請求項７記載の発明）は、前記第１，第２，第３，第４，第５又は第６の発明の何れかにおいて、前記シート本体の後方には背もたれが配置され、この背もたれは前記シート本体の上面と重なるように折り畳み可能とされてなることを特徴とするものである。
【発明の効果】
【００１５】
上記第１の発明（請求項１記載の発明）によれば、補助椅子を構成するシート本体の前端側に脚部材の基端が取り付けられていることから、この補助椅子は、シート本体の裏面を介して椅子やソファ或いは畳み等の着座面に支持され、また同時に、上記脚部材を介して床上により支持される。このため、例えば、ファミリーレストランにおいては、使用者である幼児等が通路側に着座する必要がなく、母親（又は父親）等の隣で安心して食事をすることができ、母親等としては幼児等の食事の介護が極めて楽になるばかりではなく、幼児等をシート本体上に安定した状態で着座させることができる。
【００１６】
また、第２の発明（請求項２記載の発明）では、シート本体が前方及び後方に移動可能とされてなることから、使用者の体格に合わせてシート本体を着座面より前方に動かした場合にはテーブル等の上に手を伸ばすことができる範囲をさらに広げることができるとともに、テーブルの端面と使用者の身体との間に形成される隙間を無くすことができるので、食事中において什器や食物の落下を防止することができる。
【００１７】
また、第３の発明（請求項３記載の発明）では、シート本体又は上記固定部材の何れか一方には、前後方向に複数の位置決め凹部が並んで形成され、該固定部又はシート本体の何れか一方には、上記複数の位置決め凹部の何れかに選択的に嵌まり込む位置決め凸部が形成されてなることから、前後に移動させたシート本体を確実に位置決めすることができ、不用意にシート本体が移動する可能性を防止することができる。
【００１８】
また、第４の発明（請求項４記載の発明）では、脚部材が折り畳み可能とされてなることから、不使用時において、脚部材が邪魔になる等して嵩張ることなく、保管に必要な場所をより少なく済ませることができる。
【００１９】
また、第５の発明（請求項５記載の発明）では、脚部材は、前記シート本体の左右から下方に形成されていることから、単一の脚部材が形成された補助椅子に比べて、より安定性に優れたものとなるとともに、それぞれの脚部材は、上記シート本体の裏面側に折り畳まれるように構成されてなることから、一層脚部材が邪魔になるなどして嵩張ることを防止することができる。
【００２０】
また、第６の発明（請求項６記載の発明）では、脚部材が伸縮自在とされてなることから、脚部材の長さを、椅子，ソファ，或いは畳等の着座面の高さに応じて伸縮させることができ、シート本体が傾斜した状態で支持されことを有効に防止することができる。
【００２１】
また、第７の発明（請求項７記載の発明）では、シート本体の後方には背もたれが配置され、この背もたれは前記シート本体の上面と重なるように折り畳み可能とされてなることから、使用中に後方に転倒する可能性を防止することができるとともに、不使用時において嵩張ることを防止することができる。
【発明を実施するための最良の形態】
【００２２】
以下、本発明を実施するための最良の形態に係る補助椅子を説明する。先ず、第１の実施の形態に係る補助椅子に付いて、図面を参照しながら詳細に説明する。
【００２３】
この第１の実施の形態に係る補助椅子１は、図１乃至図６に示すように、シート本体２と、脚部材３と、を備えており、図示しないソファ等の着座面上にシート本体２を載置して使用するものである。なお、図１及び図６は、ソファ等の着座面上にシート本体２を載置した状態を示すものであり、また、図２乃至図５は、脚部材３を回動してシート本体２の裏面側に折り畳んだ状態を示すものである。そして、この補助椅子１を構成するシート本体２は、クッション部４と、このクッション部４に取り付けられた固定部材５と、を備えている。このクッション部４は、使用者が臀部を載置して着座する部位であって、布体により袋状となされた内部に木製の底板と発泡ウレタン等の弾力性を有するクッション材料を収めたものである。なお、この補助椅子１は、このクッション部４の厚さを大きくすることにより使用者の座高を高めるものであって、該クッション部４の厚さは１０センチメートル程度とされているが、使用者の座高に合わせてこのクッション部４の厚さはより大きいものとしてもより小さいものとしても良い。また、このクッション部４の下面側には、図４及び図５に示すように、左右方向に長さを有する２本のシャフト６，７が前後に平行に固定されている。これらのシャフト６，７は、本発明を構成する位置決め凸部であって、クッション部４の幅よりも僅かに長尺に成形され、これら２本のシャフト６，７の両端は、後述する固定部材５を構成する左固定部材１１の右側面及び右固定部材１２の左側面に形成された各溝部２２，２３，２４，２５内の半円状の溝の何れかに選択的に嵌まり込む部材である。このため、これらのシャフト６，７と溝部２２，２３，２４，２５との嵌まり込む位置を変えることによって、シート本体２の固定位置を変更することができるとともに、固定部材５に対するクッション部４を確実に位置決めすることができる。また、このクッション部４の下面であって上記シャフト６，７よりも前方には、上述したように、クッション部４の位置を前後に調節する際に使用者の指先が入れられる凹部８（図５参照）が形成されている。
【００２４】
また、上記固定部材５は、上記クッション部４の左側部（図１の向かって右側部）下端に取り付けられる左固定部材１１と、クッション部４の右側部（図１の向かって左側部）下端に取り付けられる右固定部材１２と、から構成されている。これら左固定部材１１及び右固定部材１２は、本実施の形態では木製であって、共にクッション部４の前後長よりもやや長いものとされており、前端側中途部より略鉛直下方に向けて屈曲している。そして、これら左固定部材１１及び右固定部材１２の前端には、それぞれ長方形状の金属板を折曲して断面がＵ字状とされた蝶番部材１３，１４が、それぞれ２組のボルト及びナット１５により固定されている。また、この蝶番部材１３の下端側左側面及び蝶番部材１４の下端側右側面には、円形の開口と直線状の溝部とが連続する形状とされた切欠き１６，１７が形成されており、また、この蝶番部材１３の下端側右側面及び蝶番部材１４の下端側左側面には、切欠き１６，１７の円形の開口に対応する円形の開口１８，１９が形成されている。そして、蝶番部材１３，１４の切欠き１６，１７、円形の開口１８，１９及び後述する左脚部材２１及び右脚部材２２の基端近傍の図示しない開口には、リベット２０，２１が挿通しており、これら左脚部材３１及び右脚部材３２は共にこのリベット２０，２１を軸として回動するものとなっている。そして、脚部材３をシート本体２とは略鉛直に回動させて補助椅子１を使用状態としたときには、切欠き１６，１７を構成する直線状の溝部には、後述する脚部材３の左脚柱３１及び右脚柱３２の嵌合片４５，４６が嵌合するものとなっている。
【００２５】
また、左固定部材１１及び右固定部材１２の対向面、すなわち、左固定部材１１の右側面前方には溝部２２が形成され、右固定部材１２の左側面側後方には溝部２３が形成され、左固定部材１１の右側面後方には溝部２４が形成され、また、右固定部材１２の左側面側後方には溝部２５が形成されている。これら溝部２２，２３，２４，２５は、上述の通りクッション部４の下面に固定されるシャフト６，７が嵌まり込む部位であり、何れも同一の形状とされており、長方形状の溝部と、この長方形状の溝部の下方と連続してなる半円状の溝部とから構成されている。なお、これらの長方形状の溝部は、何れの図面上にも表れておらず、また、上記５つの半円状の溝部は、本発明を構成する位置決め凹部である。これら溝部２２，２３，２４，２５を構成する上記長方形状の溝部の高さはシャフト６，７の直径よりも僅かに大きいものとされており、また、上記半円状の溝部の直径もシャフト６，７の直径よりも僅かに大きいものとされている。このため、この補助椅子１を図示しないソファ等の着座面上に載置した際には、上記シャフト６，７はこれらの溝部２２，２３，２４，２５を構成する長方形状の溝部或いは半円状の溝部の何れかに選択的に嵌まり込み、このように嵌まり込んだ時には、クッション部４と固定部材５とは互いに前後方向への移動しないように位置決めされる。そして、この補助椅子１をソファ等に載置した状態でクッション部４のみを僅かに上方に移動させた場合には、上記溝部２２，２３，２４，２５を構成する上記半円状の溝部とシャフト６，７との嵌まり込みが解除され、固定部材５に対してクッション部４を前後に移動させ互いの位置の調節が可能となる。また、左固定部材１１及び右固定部材１２の間には、底板２６が取り付けられている。この底板２６は左固定部材１１及び右固定部材１２に形成された溝部に嵌合し、これら左固定部材１１、右固定部材１２及び底板２６それぞれの底面が面一となるようにねじ止めされており、また、この底板２６の下面には、滑り止めとして薄いゴム板２７が貼付されている。このため、補助椅子１をソファ等の着座面上に載置した場合には、この補助椅子１は左固定部材１１、右固定部材１２及び底板２３の底面全体によって均等にソファの着座面に荷重が掛かり、底板２６に貼付されたゴム板２７が滑り止めとなることにより、この補助椅子１がソファ等の着座面から滑り落ちることを防ぐことができる。なお、この実施の形態に係る補助椅子１では、上記底板２６の下面のみにゴム板２７を貼付するものとしているが、左固定部材１１及び右固定部材１２の下面にも滑り止めを取り付けても良い。
【００２６】
また、上記脚部材３は、図１及び図６に示すように、この補助椅子１の使用者の左側に位置する円筒状の左脚柱３１と、使用者の右側に位置する円筒状の右脚柱３２と、上記左脚柱３１の下端側から挿入され該左脚柱３１の長さ方向スライド自在とされた左内脚柱３３と、上記右脚柱３２の下端側から挿入され該右脚柱３２の長さ方向スライド自在とされた右内脚柱３４と、これら左脚柱３１及び右脚柱３２それぞれの中程にボルト３５，３６（図４参照）により固定され、これら左脚柱３１及び右脚柱３２と直交する方向に長さを有する円柱状の水平補強部材３７と、上記の左内脚柱３３及び右内脚柱３４の下端に取り付けられ床と接する下面に図示しない滑り止めの溝が形成されているキャップ３８，３９と、を備えている。すなわち、この補助椅子１では、上記左脚柱３１と右脚柱３２とは、互い上記水平補強部材３７を介して互いに連結されてなるとともに、該左脚柱３１と右脚柱３２の回動時には、一体となって操作をすることができるように構成されている。また、上記左脚柱３１及び右脚柱３２の背面側には、図６に示すように、それぞれ５つの係合穴４１，４２が形成されており、また、左内脚柱３３及び右内脚柱３４には、それぞれ係合部材４３，４４が取り付けられている。この係合部材４３，４４は、それぞれ左内脚柱３３及び右内脚柱３４に形成された図示しない開口から、図示しない弾性部材により背面側に付勢されて突出しており、かつ、この係合部材４３，４４それぞれの先端が上記の５つの係合穴４１，４２の何れかから突出し、係合穴４１，４２に係合するものである。このように係合することにより、この補助椅子１に使用者が腰掛け、この脚部材３に荷重が掛かった場合にも、この係合部材４３，４４の突出部分と係合穴４１，４２にこの荷重が係り、左脚柱３１と左内脚柱３３との全体の長さ及び右脚柱３２と右内脚柱３４との全体を係合した状態で保持する。また、この補助椅子１を載置するソファ等の着座面の高さに応じて左脚柱３１と左内脚柱３３全体の長さ及び右脚柱３２と右内脚柱３４全体の長さを変更調節する際には、使用者はこの係合部材４３，４４を弾性力に抗して補助椅子１の前方に向けて押し込み、係合穴４１，４２と係合部材４３，４４との係合を解除した上で、左脚柱３１からの左内脚柱３３の突出する長さ及び右脚柱３２からの右内脚柱３４の突出する長さを引き出し或いは押し込んで調節し、再び５つの係合穴４１，４２の内の任意のものに係合部材４３，４４を係合させる。
【００２７】
このような構成とされた脚部材３は、シート本体２に対して回動可能に取り付けられている。すなわち、上述の通り、この脚部材３の左脚柱３１及び右脚柱３２の基端（上端）付近には、図示しない開口が形成されており、この図示しない開口と前記蝶番部材１３，１４の切欠き１７及び開口１８をリベット１６が挿通しており、これら左脚柱３１及び右脚柱３２はこのリベット１６を軸として回動するものとなっている。また同様に、この左脚柱３１及び右脚柱３２の基端付近には、嵌合片４５，４６が取り付けられている。この嵌合片４５，４６は金属板からなるものであり、この左脚柱３１及び右脚柱３２の基端付近に形成されたスリット（符号は省略する。）にそれぞれ挿通しており、この左脚柱３１及び右脚柱３２内のスリット近傍に設けられた図示しない弾性部材により左脚柱３１及び右脚柱３２の外側に向けて付勢されて突出するものとなっている。このため、使用者がこの脚部材３をシート本体２と略鉛直となるように回動し、この補助椅子１を使用する場合には、上述したように、切欠き１６，１７の直線状の溝部よりこの嵌合片４５，４６が突出して該切欠き１６，１７と嵌合片４５，４６とを嵌合させる。このため、この嵌合により脚部材３の回動を防ぎ、この補助椅子１はこの脚部材３とシート本体２との略鉛直とされた状態を保持する。また、この補助椅子１の使用を終えて収納する際には、図２乃至図５に示すように、この補助椅子１の脚部材３を後方に向けて回動させて折り畳むが、このように使用状態の脚部材３を後方に回動する場合には、使用者は嵌合片４５，４６を上記の図示しない弾性部材の付勢に抗しながら左脚柱３１及び右脚柱３２の内部に向けて押し込み、嵌合片４５，４６と切欠き１７の溝部との嵌合を解除することにより脚部材３の回動が可能となる。
【００２８】
次に、この補助椅子１の使用方法について説明する。なお、ここで補助椅子１を用いるソファ５１は、図７に示すように、テーブル５３とペアで用いられるものであって、これらのソファ５１とテーブル５３は、何れも床Ｇに固定されている。そして、これらソファ５１とテーブル５３の大きさ及び互いの位置関係は、このソファ５１に一般的平均的な体格である大人が着座したときに、適切な座高が得られ、該テーブル５３上を見渡しやすく、また、該テーブル５３上に手が伸ばしやすいものとなっている。このため、このソファ５１に子供等の座高の低いものが着座した場合には、十分な座高が得られず、テーブル５３上を十分に見渡すことができず、また、手を伸ばしにくい。このようなソファ５１に補助椅子１を設置する場合には、先ず、補助椅子１の脚部材３の左脚柱３１及び右脚柱３２を回動させ、上述のように嵌合片４５，４６を蝶番部材１３，１４の切欠き１６，１７に嵌合させ、左脚柱３１及び右脚柱３２とシート本体２とが互いに略鉛直の状態とさせて固定させる。次に、補助椅子１を、補助椅子１の下面であって少なくとも滑り止め２４の面とソファ５１上の着座面５２とが対向して接するように載置する。そしてこの載置とともに、脚部材３の下端のキャップ３８，３９が床Ｇに支持されるようにする。すなわち、左脚柱３１と左内脚柱３３の長さ及び右脚柱３２と右内脚柱３４の長さが、ソファ５１の着座面５２の高さに適していて、補助椅子１上に使用者が座った場合にもこのシート本体２が床Ｇに対して略水平を保つことができる長さであるか否かを確認する。ここで、左内脚柱３３及び右内脚柱３４を左脚柱３１及び右脚柱３２より引き出し或いは収めて長さを調節する必要がある場合には、上述したように、左内脚柱３３及び右内脚柱３４の係合部材４３，４４を左脚柱３１及び右脚柱３２の係合穴４１，４２内に押し込んでこれらの係合を解除し、シート本体２が略水平となるように左内脚柱３３及び右内脚柱３４を引き出し或いは収めて調節をし、適当と思われる長さの状態で係合部材４３，４４を係合穴４１，４２と係合させて左脚柱３１と左内脚柱３３の長さ及び右脚柱３２と右内脚柱３４の長さを固定する。なお、補助椅子１をソファ５１及びテーブル５３へ設置した図７に示す例では、図１乃至図６に示す状態と同様に、係合部材４３，４４が複数の係合穴４１，４２のうち一番上の穴に係合しており、左内脚柱３３及び右内脚柱３４は特に延ばされてはいない。しかし、補助椅子１をこの図７に示す実施例のソファ５１の着座面５２よりも高いシート（椅子）に使用する場合には、この図７中に示す係合穴４１，４２のより下方のものに係合部材４３，４４を係合すれば良い。このように補助椅子１をソファ５１に載置した後、この補助椅子１の使用者がテーブル５３上に十分に手を伸ばすことができない場合には、固定部材５の前方にクッション部４を移動させる。すなわち、前記凹部８に指先を入れてクッション部４を僅かに持ち上げ、シャフト６，７と溝部２２，２３，２４，２５の半円状の溝との嵌め込みを外して固定部材５に対するクッション部４の移動の規制を解除し、使用者がテーブル５３上に十分に手を伸ばすことができるようにクッション部４をテーブル５３より（図７中左側）に移動させ、再度シャフト６，７を溝部２２，２３，２４，２５の半円状の溝に係合させる。なお、図７に示す補助椅子１は、図１，図２及び図５と比較するとわかるように、クッション部４をテーブル５３側に動かした状態を示している。
【００２９】
このように、ソファ５１上に補助椅子１を載置する際には手間がかからず、この補助椅子１の使用者はシート本体２の高さの分だけ座高を高めることができ、テーブル５３上を見渡すことができる。また、このシート本体２の前方から下方に向けて脚部材３が設けられていることから、この図７に示すように、このシート本体２の前端をソファ５１の前端よりもテーブル５３よりに設置することができ、使用者はテーブル５３側に近寄った状態で着座することができることから、使用者はこのテーブル５３上に手を伸ばしやすくなる。また、この補助椅子１ではシャフト６，７と溝部２２，２３，２４，２５との嵌め込みの位置を任意に選ぶことができ、必要に応じてクッション部４を固定部材５に対してよりテーブル５３側に動かし、使用者とテーブル５３との位置関係をより細かく調節することができる。
【００３０】
さらに、本発明に係る補助椅子は、手摺りを設けたものであっても良い。図８は、本発明の第２の実施の形態に係る補助椅子６１を示すものであり、この補助椅子６１の左固定部材１１及び右固定部材１２には、それぞれ手摺り６２，６３が取り付けられている。なお、この補助椅子６１の構成の中で、上記の補助椅子１と同じ構成のものについては説明及び符号は省略する。この手摺り６２，６３は、金属パイプをコ字状に折曲したものであって、それぞれの端部は左固定部材１１及び右固定部材１２に形成された図示しない開口に挿入されており、また、これらの手摺り６２，６３の取り付け後に水平となる箇所の周囲にはゴムにより成形された保護管６４，６５が貼付されている。したがって、この補助椅子６１では、使用者は手摺り６２，６３によりかかって楽な姿勢で着座でき、また、この手摺り６２，６３により横方向への動きが規制されることから、補助椅子６１から転落する事故を防ぐことができる。さらに、この補助椅子６１の運搬，設置や使用の際には、使用者は上記保護管６４，６５の部分を把持することで操作が容易となり、この補助椅子６１を落とすことも防止することができる。
【００３１】
なお、上述した各実施の形態に係る補助椅子１，６１については、ファミリーレストラン等でよく見られるように、床Ｇに固定されたテーブル５３の近傍に固定されたソファ５１の着座面５２に補助椅子１，６１を載置した場合を例に挙げて説明したが、本発明の補助椅子はこのような場所に用いられるものとして限定されるものではない。すなわち、椅子及び食卓が共に床の上を移動することができる一般家庭の食卓等のような場合であっても、この椅子に本発明に係る補助椅子を載置することができ、使用者はこの食卓の上を見渡すことができ、また、使用者は食卓の上に十分に手を伸ばすことができるようになる。さらに、掘り炬燵のように、使用者の着座面が椅子でなく畳等の場合であっても、該畳上にこの補助椅子１，６１を載置することにより、使用者はテーブルの上を見渡すことができ、また、テーブルの上に十分に手を伸ばすことができるようになり、さらに、この補助椅子１，６１の使用者が幼児である場合には、この幼児と母親とが離れることなく隣り合って着座することができる。
【００３２】
次に、第３の実施の形態に係る補助椅子７１に付いて、図面を参照しながら詳細に説明する。この補助椅子７１は、図９又は図１０に示すように、使用者が着座するシート本体７２と、脚部材７３と、背もたれシート７４とを備えている。上記シート本体７２は、図示しない平板と、この平板上に配置されたクッション材と、これら平板及びクッション材とを包んでなるシート体７２ａとにより構成されている。そして、図１１に示すように、このシート本体７２の左側には、左支持板７５が固定され、右側には右支持板７６が固定されている。そして、上記左支持板７５と右側支持板７６とは、後方固定板７７と前方固定板７８とにより連結され、該左支持板７５，右側支持板７６，後方固定板７７，前方固定板７８とにより四角形状の枠体（符号は省略する。）を形成し、この枠体上に上記シート本体７２が支持されている。なお、上記右支持板７６（及び左支持板７５）の後端は、図９に示すように、円弧状に湾曲した形状となされ、また、これら左支持板７５と右支持板７６との後端には、下面がソファや椅子等の着座面上に載置支持される水平載置板８０が固定されている。なお、この水平載置板８０の下面には、図示しない滑り止めシートが貼付されている。また、上記左支持板７５と右支持板７６のそれぞれ外側前端には、図１２に示すように、該左支持板７５や右支持板７６よりも短い左固定板８１、右固定板８２が固定され、さらにこれら左固定板８１や右固定板８２の外側には、左連結板８３、右連結板８４が固定されている。これら左連結板８３及び右連結板８４は、それぞれ上記左固定板８１又は右固定板８２に固定された水平部８３ａ，８４ａと、この水平部８３ａ，８４ａの前端から垂下してなる垂下部８３ｂ，８４ｂと、この垂下部８３ｂ，８４ｂの上端に形成され上記水平部８３ａ，８４ａの上面よりもやや上方に膨出してなる膨出部（符号は省略する。）とから構成されている。
【００３３】
そして、上記垂下部８３ｂの上端側中途部には、貫通穴（符号は省略する。）が形成され、この貫通穴には、図１０に示すように、左回動固定金具８５が取り付けられており、また、上記垂下部８４ｂの上端側中途部には、上部貫通穴（符号は省略する。）が形成され、この上部貫通穴には、右回動固定金具８６が取り付けられている。上記左回動固定金具８５及び右回動固定金具８６は、それぞれ固定ピン（符号は省略する。）と、この固定ピンの一端に取り付けられた操作リング８５ａ，８６ａと、上記固定ピンが挿通されてなる図示しない筒状部材及び固定ピンの他端が互いに接近する方向に該固定ピンを付勢する図示しない弾性部材とから構成されている。なお、上記各固定ピンの長さは、上記垂下部８３ｂ，８４ｂの肉厚よりも長尺に成形されてなるものであり、他端は、球面状に成形されており、常に上記弾性部材により垂下部８３ｂ，８４ｂの内側面よりもさらに内側に突出されている（図１４参照）。したがって、上記操作リング８５ａ，８６ａを把持しながら上記弾性部材の弾性力に抗して外側に引っ張られることにより、上記固定ピンの他端側は、上記垂下部８３ｂ，８４ｂの内側面よりも外側に没入される。また、上記各垂下部８３ｂ，８４ｂの下端側中途部には、上記上部貫通穴に平行に下部貫通穴がそれぞれ形成され、この下部貫通穴には、後述する脚部材７３を固定する左固定金具８７、右固定金具８８が着脱可能に取り付けられている。
【００３４】
そして、この第３の実施の形態に係る補助椅子７１は、上記左連結板８３及び右連結板８４を介して上記脚部材７３が回動可能に且つ該脚部材７３の取付位置を上下方向に調整可能に取り付けられている。この脚部材７３は、図９に示すように、左脚部材９０と、右脚部材９１と、下側水平板部材９２と、中間水平板部材９３とから構成されている。上記左脚部材９０及び右脚部材９１は、この補助椅子７１の左右方向に長さを有する第１ないし第７の貫通穴９０ａ・・・９０ｇ，９１ａ・・・９１ｇが穿設されている。これら第１ないし第７の貫通穴９０ａ・・・９０ｇ，９１ａ・・・９１ｇは、上記左脚部材９０及び右脚部材９１の長さ方向にそれぞれ同じ間隔で形成されているとともに、これらの間隔は、上記左回動固定金具８５又は右回動固定金具８６と左固定金具８７又は右固定金具８８との間隔と同じ間隔とされている。また、図１４に示すように、上記左脚部９０の外側面には、上記第１ないし第７の貫通穴９０ａ・・・９０ｇが形成されている部位から該左脚部材９０の（脚部材７３を起立させた状態における）背面側に亘って徐々に該左脚部材９０の肉厚が薄くなるよう傾斜してなる左摺接面９０ｈが形成されている。なお、この左摺接面９０ｈは、後述するように、脚部材７３が折り畳まれた状態からシート体本体７２と略垂直方向に長さを有するように回動操作される際、上記左回動固定金具８５を構成する固定ピン８５ａの他端が摺接する部位である。また、上記右脚部９１の外側面には、上記第１ないし第７の貫通穴９１ａ・・・９１ｇが形成されている部位から該右脚部材９１の（脚部材７３を起立させた状態における）背面側に亘って徐々に該右脚部材９１の肉厚が薄くなるよう傾斜してなる右摺接面９１ｈが形成されている。なお、この右摺接面９１ｈは、後述するように、脚部材７３が折り畳まれた状態からシート本体７２と略垂直方向に長さを有するように回動操作される際、上記右回動固定金具８４を構成する固定ピンの他端が摺接する部位である。
【００３５】
また、上記下側水平板部材９２は、左端側中途部に上記左脚部材９０の下端が固定され、右端側中途部に上記右脚部材９１の下端が固定されてなるものであり、下面は、床板等に当接する当接面とされている。なお、この下側水平板部材９２の下面には、図示しない滑り止め用のシートが貼付されている。また、上記中間水平板部材９３は、一端が上記左脚部材９０に形成された第７の貫通穴９０ｇのやや下方に固定され、他端は上記右脚部９１に形成された第７の貫通穴９１ｇのやや下方に固定されている。
【００３６】
また、上記シート本体７２の左側のやや上方には、左前方側支持板９５と左後方側支持板９６を介して左肘掛部材９７が固定され、上記シート本体７２の右側のやや上方には、右前方側支持板９８と右後方側支持板９９を介して右肘掛部材１００が固定されている。上記左前方側支持板９５は、上記左固定板８１の後端側の上面に下端が固定されてなるものであり、上記左後方支持板９６は、上記左支持板７５の後端側の外側面に固定されている。また、上記右前方側支持板９８は、上記右固定板８２の後端側の上面に下端が固定されてなるものであり、上記右後方側支持板９９は、上記右支持板７６の後端側の外側面に固定されている。また、上記左後方支持板９６と右後方側支持板９９には、背もたれシート７４が取り付けられている。この背もたれシート７４は、図１２に示すように、背もたれシート本体１０４と、この背もたれシート本体１０４の背面の左側に固定され下端側は、上記左後方支持板９６に対して回動可能に支持されてなる左回動支持板１０５と、上記背もたれシート本体１０４の背面の右側に固定され下端側は、上記右後方支持板９９に対して回動可能に支持されてなる右回動支持板１０６と、上記背もたれシート本体１０４の背面に互いに平行に固定されてなる上部水平固定板１０７及び下部水平固定板１０８とから構成されている。上記背もたれシート本体１０４は、図示しない平板と、この平板上に配置されたクッション材と、これら平板及びクッション材とを包んでなるシート体１０４ａとから構成されている。上記左回動支持板１０５は、下端側中途部に図示しない挿通穴が形成され、この挿通穴には、上記左後方支持板９６に固定された左支軸１０９により回動自在に支持されている。また、上記右回動支持板１０６は、下端側中途部に図示しない挿通穴が形成され、この挿通穴には、上記右後方支持板９９に固定された右支軸１１０により回動自在に支持されている。
【００３７】
そして、この補助椅子７１では、上記左後方支持板９６の内側面には、図１０に示すように、左係合凸部１１２が固定され、上記右後方支持板９９の内側面には、右係合凸部１１３が固定されている。これら左係合凸部１１２及び右係合凸部１１３は、それぞれ後述するように、上記背もたれシート７４を構成する背もたれシート本体１０４と上記シート本体１０４とが重ね合わされるように折り畳まれた後に、図９に示すように、該背もたれシート７４を起立させる際に、該背もたれシート７４を係止するものである。そして、上記左回動支持板１０５の外側面には、図１２に示すように、該左側回動支持板１０５の背面から正面側中途部に亘って円弧状の溝部１０５ａが形成されており、また、右回動支持板１０６の外側面には、該右側回動支持板１０６の背面から正面側中途部に亘って円弧状の溝部１０６ａが形成されている。そして、上記各溝部１０５ａ，１０６ａの形状は、この背もたれシート７４を上記左支軸１０９と右支軸１１０とを中心に回動させた際の回動軌跡の曲率と同じ曲率とされている。
【００３８】
なお、上述した第３の実施の形態に係る補助椅子７１の使用方法は、基本的に前記第１の実施の形態に係る補助椅子１と同じである。但し、この補助椅子７２においては、図９に示す状態から、上記操作リング８５ａ，８６ａを把持しながら上記弾性部材の弾性力に抗して外側に引っ張ることにより、上記固定ピンの他端側が上記垂下部８３ｂ，８４ｂの内側面よりも外側に没入し、こうした操作により、上記脚部材７３を左固定金具８７，右固定金具８８を中心に回動させることにより、図１４に示すように折り畳むことができる。そして、このように脚部材７３が折り畳まれた補助椅子７２は、図示しない掘り炬燵等の凹部が形成されていない畳や床上に載置して使用することができる。また、このように脚部材７３を折り畳んだ後に再び図９に示す状態とする場合には、該脚部材７３を把持しながら上記左固定金具８７，右固定金具８８を中心に回動させることにより、それまで内側に突出していた左回動固定金具８５を構成する固定ピン及び右回動固定金具８６を構成する固定ピンは、上記摺動面９０ｈ，９１ｈに摺動しながら図示しない弾性部材に抗して上記筒状部材内に没入する方向に移動させられ、やがて第１ないし第７の貫通穴９０ａ・・・９０ｇ，９１ａ・・・９１ｇの何れかに至ると、上記図示しない弾性部材の弾性力により、該第１ないし第７の貫通穴９０ａ・・・９０ｇ，９１ａ・・・９１ｇの何れかに嵌合し、以後回動が規制される。
【００３９】
したがって、この第３の実施の形態に係る補助椅子７１によれば、図１４に示すように、一旦脚部材７３を折り畳んだ後に再び図９に示すように操作する場合はワンタッチで行うことができ、極めて使い勝手が良い。また、この補助椅子７１では、上記背もたれシート７４は、図９に示すように、左支軸１０９及び右支軸１１０により回動自在に支持されていることから、図１３及び図１４に示すように、該背もたれシート７４を折り畳む（倒す）ことができる。したがって、この補助椅子７１では、より一層コンパクト化することができ、多数の補助椅子７１を積み重ねておくことも可能となり一層使い勝手が良い。しかも、この補助椅子７１では、上記脚部材７３は、下側水平板部材９２を備えているので、ソファ等の着座面に載置した場合、床に対する安定性に優れ、さらに、この脚部材７３は、中間水平板部材９３を備えているので、幼児等が足を掛けることができ、シート本体７２から落下する危険性も回避することができる。またさらに、この補助椅子７１によれば、上記脚部材７３を折り畳み、例えば、畳やカーペット或いは床上に載置することにより、座椅子として利用することができる。
【００４０】
なお、上記実施の形態に係る補助椅子７１では、一端が上記脚部材７３又は左前方側支持板９５（及び／又は右前方側支持板９８）に固定され、他端は図示しないテーブルの裏面に取り付けられる吸盤が固定された二つのベルトとともに使用されるものであっても良い。これらのベルトは、何らかの外力が上記脚部材７３に作用したり、或いは上記シート体本体７２がソファ等の着座面上から脱落したりする場合であっても、この補助椅子７１を支持(吊り下げる)ものである。こうしたベルトと共に上記補助椅子７１を使用することにより、一層安全性を確保することができる。
【図面の簡単な説明】
【００４１】
【図１】第１の実施の形態に係る補助椅子を示す斜視図である。
【図２】図１に示す補助椅子の脚部材が折り畳まれた状態を示す側面図である。
【図３】図２に示す補助椅子の正面図である。
【図４】図２に示す補助椅子の底面図である。
【図５】図２に示す補助椅子の側断面図である。
【図６】図１に示す補助椅子の背面図である。
【図７】補助椅子をシート上に載置した状態を示す側面図である。
【図８】第２の実施の形態に係る補助椅子を示す斜視図である。
【図９】第３の実施の形態に係る補助椅子を示す斜視図である。
【図１０】図９に示す補助椅子を示す正面図である。
【図１１】図９に示す補助椅子の底面図である。
【図１２】図９に示す補助椅子の底面図である。
【図１３】図９に示す補助椅子の背もたれ部材を折り畳んだ状態を示す斜視図である。
【図１４】図１３に示す補助椅子の脚部材を折り畳んだ状態を示す斜視図である。
【符号の説明】
【００４２】
１    補助椅子
２    シート本体
３    脚部材
４    クッション部
５    固定部材
６，７    金属棒
２０，２１    リベット
２２，２３，２４，２５    溝部
２７    ゴム板
４１，４２    係合穴
４３，４４    係合片
５１    椅子
５２    着座面
６１    補助椅子
６２，６３    手摺
７１    補助椅子
７２    シート本体
７３    脚部材
Ｇ    床
【図１】
2005095611.tif 000003
【図２】
2005095611.tif 000004
【図３】
2005095611.tif 000005
【図４】
2005095611.tif 000006
【図５】
2005095611.tif 000007
【図６】
2005095611.tif 000008
【図７】
2005095611.tif 000009
【図８】
2005095611.tif 000010
【図９】
2005095611.tif 000011
【図１０】
2005095611.tif 000012
【図１１】
2005095611.tif 000013
【図１２】
2005095611.tif 000014
【図１３】
2005095611.tif 000015
【図１４】
2005095611.tif 000016